(57)【要約】【課題】複数の項目からなるメニューを表示手段に表示する情報処理装置及び項目表示方法並びにプログラムに関し、項目選択操作を容易に行える情報処理装置及び項目表示方法並びにプログラムを提供することを目的とする。【解決手段】本発明は、表示画面に選択可能な項目を表示可能とされた表示手段と、  前記表示手段の表示画面に表示される前記項目の数を切り換える表示切替スイッチと、  前記表示切替スイッチの操作に応じて画面に表示されるメニューの数を切り換えるメニュー表示制御手段とを有することを特徴とする。【選択図】図１
2006155474.tif 000002
【特許請求の範囲】
【請求項１】
表示画面に複数の項目を表示可能とされた表示手段と、
前記表示手段の表示画面に表示される前記項目の数を切り換える表示切替スイッチと、
前記表示切替スイッチの操作に応じて画面に表示される項目の数を切り換える項目表示制御手段とを有することを特徴とする情報処理装置。
【請求項２】
前記項目表示制御手段は、前記表示切替スイッチが操作されている間、前記項目の表示数を切り換えることを特徴とする請求項１記載の情報処理装置。
【請求項３】
前記項目表示制御手段は、前記表示切替スイッチの操作毎に前記項目の表示数を切り換えることを特徴とする請求項１記載の情報処理装置。
【請求項４】
前記項目表示制御手段は、前記表示切替スイッチが操作されてから所定の時間、前記項目の表示数を切り換えることを特徴とする請求項１記載の情報処理装置。
【請求項５】
前記項目表示制御手段は、前記表示切替スイッチの操作に応じて前記項目の一部を前記表示手段に表示する第１の表示と、前記項目の全てを前記表示手段に表示する第２の表示とを切り換えることを特徴とする請求項１乃至４のいずれか一項記載の情報処理装置。
【請求項６】
前記項目表示制御手段は、前記表示切替スイッチの操作に応じて前記項目の全てを割り込み画面に表示することを特徴とする請求項１乃至４のいずれか一項記載の情報処理装置。
【請求項７】
前記項目を選択する選択スイッチを有し、
前記選択スイッチにより選択された項目に応じた処理を実行することを特徴とする請求項１乃至６のいずれか一項記載の情報処理装置。
【請求項８】
表示画面に選択可能な項目を表示可能とされた表示手段の表示画面に表示される前記項目の数を、切り換える表示切替スイッチの操作に応じて画面に表示される項目の数を切り換えることを特徴とする項目表示方法。
【請求項９】
表示画面に選択可能な項目を表示可能とされた表示手段の表示画面に表示される前記項目の数を、切り換える表示切替スイッチの操作に応じて画面に表示される項目の数を切り換える処理を実行させるコンピュータにより読み取り可能なプログラム。
【発明の詳細な説明】
【技術分野】
【０００１】
本発明は情報処理装置及び項目表示方法並びにプログラムに係り、特に、複数の項目からなるメニューを表示手段に表示する情報処理装置及び項目表示方法並びにプログラムに関する。
【背景技術】
【０００２】
近年、携帯電話機などの小型情報装置は、多機能化しており、設定、選択可能な項目が増加する傾向にある。一方で、装置を小型化する要求がある。装置を小型化すると、表示画面も小型化し、表示画面に一度に表示できる情報量は減少する。このため、従来の小型情報装置では、操作メニューを多階層化することにより項目の多項目化に対応していた。
【０００３】
一方、携帯電話機などの小型情報装置は小型であるので、入力キーの数にも制限があり、操作性が悪かった。このため、入力キーの一部に２段スイッチを搭載した携帯電話機が提案されていた（特許文献１参照）。
【０００４】
【特許文献１】特開２００３−８７３７１号公報
【発明の開示】
【発明が解決しようとする課題】
【０００５】
しかるに、操作メニューを多階層化した場合には、項目を上の階層から順に選択していって、必要とする項目に到達するため、必要とする項目が直接的に見えず、必要とする項目を選択し難く、よって、操作性が悪いなどの問題点があった。
【０００６】
本発明は上記の点に鑑みてなされたもので、項目選択操作を容易に行える情報処理装置及び項目表示方法並びにプログラムを提供することを目的とする。
【課題を解決するための手段】
【０００７】
本発明は、表示画面に選択可能な項目を表示可能とされた表示手段と、表示手段の表示画面に表示される項目の数を切り換える表示切替スイッチと、表示切替スイッチの操作に応じて画面に表示される項目の数を切り換える項目表示制御手段とを有することを特徴とする。
【発明の効果】
【０００８】
上述の如く、本発明によれば、表示手段の表示画面に表示される項目の数を表示切替スイッチの操作に応じて画面に表示される項目の数を切り換えることにより、項目選択を容易に行えるため、操作性を向上させることができる。また、全項目を１つのメニューとして管理できるので、項目の管理を容易に行える。
【発明を実施するための最良の形態】
【０００９】
図１は本発明の一実施例のブロック構成図、図２は本発明の一実施例の斜視図を示す。
【００１０】
本実施例の情報処理装置１は、例えば、携帯電話などの小型情報装置であり、表示装置１１、処理装置１２、記憶装置１３、キー入力装置１４、音声入力装置１５、音声出力装置１６、通信装置１７、アンテナ１８から構成される。
【００１１】
表示装置１１は、例えば、液晶ディスプレイなどのフラットディスプレイから構成されており、処理装置１２から供給される表示データに応じた画像を表示画面２１に表示する。
【００１２】
処理装置１２は、記憶装置１３に記憶されたプログラムに基づいてデータ処理を行う。キー入力装置１４から供給される指示に応じてデータ処理を行うとともに、表示データを作成して、表示装置１１に供給する。記憶装置１３は、不揮発性記憶装置から構成されており、プログラムやデータを記憶している。
【００１３】
キー入力装置１４は、座標入力キー３１、ズームスイッチ３２、文字入力キー３３から構成されている。
【００１４】
座標入力キー３１は、Ｘ１方向座標移動キー３１ａ、Ｘ２方向座標移動キー３１ｂ、Ｙ１方向座標移動キー３１ｃ、Ｙ２方向座標移動キー３１ｄから構成されている。
【００１５】
Ｘ１方向座標移動キー３１ａは、カーソルやポインタを矢印Ｘ１方向に移動させたり、選択している項目を矢印Ｘ１方向に移動させたりするためのスイッチである。Ｘ２方向座標移動キー３１ｂは、カーソルやポインタを矢印Ｘ２方向に移動させたり、選択している項目を矢印Ｘ２方向に移動させたりするためのスイッチである。Ｙ１方向座標移動キー３１ｃは、カーソルやポインタを矢印Ｙ１方向に移動させたり、選択している項目を矢印Ｙ１方向に移動させたりするためのスイッチである。Ｙ２方向座標移動キー３１ｄは、カーソルやポインタを矢印Ｙ２方向に移動させたり、選択している項目を矢印Ｙ２方向に移動させたりするためのスイッチである。
【００１６】
ズームスイッチ３２は、オフの状態では、表示装置１１に、例えば、ｎ行ｍ列に配列された項目のうち、３行３列分の項目を表示させている。オン状態では、表示装置１１に、例えば、ｎ行ｍ列に配列された項目の全項目を表示させている。
【００１７】
音声入力装置１５は、マイクロフォンなどから構成されており、通話時の音声入力に用いられる。音声出力装置１６は、スピーカ、ブザーなどから構成されており、通話時の音声出力や着信音、効果音などの出力に用いられる。通信装置１７は、データの送受信のための変調復調処理を行う。アンテナ１８は、電波の送受信を行う。
【００１８】
次に処理装置１２による項目表示処理について説明する。
【００１９】
図３は処理装置１２の項目表示処理のフローチャート、図４乃至図５は表示画面を示す図を示す。図４（Ａ）は待受画面、図４（Ｂ）は第１の項目表示画面、図５は第２の項目表示画面を示す。
【００２０】
ここで、実行される項目表示処理は、処理装置１２により実行されるプログラムであり、記憶装置１３に記憶されている。
【００２１】
処理装置１２は、ステップＳ１−１で図４（Ａ）に示すような待ち受け画面を表示した状態で、ステップＳ１−２でキー入力装置１４による入力操作があると、ステップＳ２−３で図４（Ｂ）に示すような第１の項目表示画面が表示される。
【００２２】
第１の項目表示画面は、ｎ行×ｍ列にマトリクス状に配置された全項目の一部分の項目が拡大表示された画面であり、例えば、図４（Ｂ）に示されるように、項目ｉ11〜ｉ13、ｉ21〜ｉ23、ｉ31〜ｉ33が３行×３列のマトリクス状に表示された画面となる。また、各項目は、例えば、各項目の機能を示すようなアイコンとして表示される。なお、選択されている項目には、影付け表示が行なわれる。例えば、図４（Ｂ）では、項目ｉ31が選択された状態とされており、影付けが行なわれている。
【００２３】
処理装置１２は、ステップＳ１−４で、座標入力キー３１がオンされると、ステップＳ１−５で座標入力キー３１のうちオンされたキーに対応する方向、矢印Ｘ１、Ｘ２、Ｙ１、Ｙ２方向に選択される項目が移動する。
【００２４】
例えば、図４（Ｂ）のように項目ｉ22が選択されている場合に、Ｘ１方向座標移動キー３１ａが操作されると、次に項目ｉ21が選択された項目となる。また、Ｘ２方向座標移動キー３１ｂが操作されると、項目ｉ23が選択された項目となる。さらに、Ｙ１方向座標移動キー３１ｃが操作されると、項目ｉ12が選択された項目となる。また、Ｙ２方向座標移動キー３１ｄが操作されると、項目ｉ32が選択された項目となる。
【００２５】
また、処理装置１２は、ステップＳ１−６でズームスイッチ３２がオンされると、ステップＳ１−７で表示装置１１の表示画面２１に図５に示すように、ｎ行ｍ列の全項目ｉ11〜ｉ1n、ｉ21〜ｉ2n・・・ｉm1〜ｉmnが表示される第２の項目表示画面を表示する。
【００２６】
なお、本実施例では、第２の項目表示画面を表示装置１１の表示画面２１の全体に表示したが、表示装置１１の表示画面２１の一部に表示するようにしてもよい。
【００２７】
ここで、第２の項目表示画面の変形例について説明を行う。
【００２８】
図６は第２の項目表示画面の変形例の表示画面を示す図である。図６（Ａ）は表示装置１１の表示画面２１の表示状態、図６（Ｂ）は第２の項目表示画面４１の表示状態を示す図である。
【００２９】
本変形例の第２の項目表示画面４１は、図６（Ａ）に示すように第１の項目表示画面の左下に表示装置１１の表示画面２１の一部に表示されている。第２の項目表示画面４１では、図６（Ｂ）に示すように選択された項目ｉ32が影付きで表示される。
【００３０】
なお、本変形例では、各項目の表示が縮小されるため、各項目を認識し難い。このため、機能が近似した項目毎に異なる色で表示を行うことにより、選択しようとする項目を容易に識別できる。
【００３１】
図３に戻って説明を続ける。
【００３２】
処理装置１２は、ステップＳ１−８でズームスイッチ３２がオフされると、ステップＳ1−３に戻って第１の項目選択画面を表示装置１１に表示する。また、キー入力装置１４に設定された実行キーを操作することにより、選択された項目に設定された機能を実行することができる。例えば、受信メール表示項目を選択した場合には、図７に示すように受信メールが表示される。
【００３３】
本実施例では、ズームスイッチ３２がオンされている間、図５に示すようなｎ行ｍ列の全項目ｉ11〜ｉ1n、ｉ21〜ｉ2n・・・ｉm1〜ｉmnが表示される第２の項目表示画面が表示され、ズームスイッチ３２をオンすることにより選択している項目が項目全体のどこに位置するかを容易に把握できる。よって、項目選択のための操作性を向上させることが可能となる。
【００３４】
また、本実施例では、全項目を一つのメニューとして管理することが可能となり、項目を階層構造で管理する必要がないので、項目の管理が容易となる。
【００３５】
なお、本実施例では、ズームスイッチ３２がオンされている間だけ第２の項目表示画面を表示したが、これに限定されるものではなく、ズームスイッチ３２がオンされることにより第１の項目表示画面と第２の項目表示画面とを交互に表示したり、ズームスイッチ３２がオンしてから所定時間、第２の項目表示画面を表示したりするようにしてもよい。
【００３６】
〔項目表示処理の第１変形例〕
次に、処理装置１２による項目表示処理の第１変形例について説明する。
【００３７】
図８は項目表示処理の第１変形例のフローチャートを示す。同図中、図３と同一ステップには同一符号を付し、その説明は省略する。
【００３８】
本変形例では、処理装置１２は、ステップＳ１−６でズームスイッチ３２がオンされると、ステップＳ２−７で図５に示す第２の項目表示画面を表示する。処理装置１２は、ステップＳ２−８で再びズームスイッチ３２がオンされると、ステップＳ１−３に戻って図４（Ｂ）に示す第１の項目表示画面を表示する。
【００３９】
本実施例によれば、ズームスイッチ３２を操作する毎に第１の項目表示画面と第２の項目表示画面とを表示装置１１の表示画面に交互に表示することができ、ユーザが選択的に第１の項目表示画面と第２の項目表示画面とを表示させることができる。
【００４０】
〔項目表示処理の第２変形例〕
次に、処理装置１２による項目表示処理の第２変形例について説明する。
【００４１】
図９は項目表示処理の第２変形例のフローチャートを示す。同図中、図３と同一ステップには同一符号を付し、その説明は省略する。
【００４２】
本変形例では、処理装置１２は、ステップＳ２−７で図５に示す第２の項目表示画面が表示装置１１に表示された後、ステップＳ３−８で所定時間経過すると、ステップＳ１−３に戻って図４（Ｂ）に示す第１の項目表示画面を表示装置１１の表示画面２１に表示される。
【００４３】
本実施例によれば、ズームスイッチ３２を操作することにより、所定時間、第２の項目表示画面とを表示装置１１の表示画面２１に表示することができ、ユーザが選択的に第１の項目表示画面と第２の項目表示画面とを表示でき、操作性を向上させることができる。
【００４４】
〔項目表示処理の第３変形例〕
次に、処理装置１２による項目表示処理の第３変形例について説明する。
【００４５】
図１０は項目表示処理の第２変形例のフローチャートを示す。同図中、図３と同一ステップには同一符号を付し、その説明は省略する。
【００４６】
本変形例では、処理装置１２は、ステップＳ１−６でズームスイッチ３２がオンされると、ステップＳ４−７で現在、表示されている画面が第１の項目表示画面か否かを判定する。処理装置１２は、ステップＳ４−７で図４（Ｂ）に示される第１の項目表示画面が表示装置１１に表示されていると判断した場合には、ステップＳ４−８で図５に示される第２の項目表示画面が表示され、ステップＳ１−４に戻って項目選択を可能とする。
【００４７】
また、処理装置１２は、ステップＳ４−７で図４（Ｂ）に示される第１の項目表示画面が表示装置１１に表示されていない、すなわち、図５に示す第２の項目表示画面が表示装置１１に表示されていると判断した場合には、ステップＳ４−９で図４（Ｂ）に示す第１の項目表示画面を表示装置１１の表示画面２１に表示させる。
【００４８】
本実施例によれば、ズームスイッチ３２を操作する毎に第１の項目表示画面と第２の項目表示画面とを表示装置１１の表示画面に交互に表示することができ、ユーザが選択的に第１の項目表示画面と第２の項目表示画面とを表示させることができる。
【００４９】
〔項目表示処理の第４変形例〕
本変形例は、ズームスイッチ３２の構造が２段スイッチ構造とされている。
【００５０】
図１１は２段スイッチを説明するための図を示す。図１１（Ａ）は非操作時、図１１（Ｂ）は１段押下時、図１１（Ｃ）は２段押下時の状態を示す。
【００５１】
２段スイッチは、キートップ５１、レバー５２、第１接点５３、第２接点５４、第３接点５５から構成されている。
【００５２】
キートップ５１は、例えば、ゴムなどから構成されており、矢印Ｚ２方向に押下されたときに、ケース５６との間で弾性変形可能な構成とされている。レバー５２は、樹脂などの絶縁材から構成されており、一端がケース５６を矢印Ｚ１方向に貫通してキートップ５１の下面側に固定され、他端がケース５６の矢印Ｚ２方向側で第１の接点５３に接触している。レバー５２は、キートップ５１が矢印Ｚ２方向に距離ｄだけ押下されると、矢印Ｚ２方向に距離ｄだけ移動し、第１接点５３を矢印Ｚ２方向に距離ｄだけ押下する。これによって、第１接点５３が第２接点５４に接触する。これによって、第１接点５３と第２接点５４とが短絡され、第１のスイッチング操作が検出される。
【００５３】
さらに、キートップ５１が矢印Ｚ２方向に距離ｄだけ押下されると、レバー５２がさらに、矢印Ｚ２方向に距離ｄだけ移動し、第２接点５４を矢印Ｚ２方向に距離ｄだけ押下させる。これによって、第２接点５４が第３接点５５に接触する。これによって、第１接点５３、第２接点５４、第３接点５５とが短絡され、第２のスイッチング操作が検出される。
【００５４】
次に上記２段スイッチを用いた項目表示処理について説明する。
【００５５】
図１２は項目表示処理の第４変形例のフローチャートを示す。同図中、図３と同一ステップには同一符号を付し、その説明は省略する。
【００５６】
本変形例では、処理装置１２は、ステップＳ５−６で２段スイッチの第１のスイッチング操作が行なわれると、ステップＳ５−７で図５又は図６（Ａ）に示すような第２の項目表示画面を表示させる。
【００５７】
次に処理装置１２は、ステップＳ５−８で続けて、２段スイッチの第２のスイッチング操作が行なわれると、ステップＳ５−９でそのとき、選択されている項目を実行する。例えば、メール受信を行うための項目が選択された状態で、第２のスイッチング操作が行なわれると、表示装置１１の表示画面２１に図７に示すようにメール受信のための項目実行画面を表示させる。
【００５８】
また、処理装置１２は、ステップＳ５−１０で第１のスイッチング操作が解除されると、ステップＳ１−３に戻って図４（Ｂ）に示すような第２の項目表示画面を表示装置１１の表示画面２１に表示させる。
【００５９】
本変形例によれば、２段スイッチの第２のスイッチング操作により、選択項目の実行することができ、操作性をさらに向上させることができる。
【００６０】
〔項目表示処理の第５変形例〕
本変形例は、第４変形例と同様に、ズームスイッチ３２の構造が２段スイッチ構造とされている。
【００６１】
図１３は項目表示処理の第５変形例のフローチャートを示す。同図中、図１２と同一ステップには同一符号を付し、その説明は省略する。
【００６２】
本変形例では、処理装置１２は、ステップＳ６−６で２段スイッチの第１のスイッチング操作及び解除が行なわれると、ステップＳ５−７で図５又は図６（Ａ）に示すような第２の項目表示画面を表示させる。
【００６３】
次に処理装置１２は、ステップＳ６−１０で、再び、２段スイッチの第１のスイッチング操作及び解除が行なわれると、ステップＳ１−３に戻って図４（Ｂ）に示すような第２の項目表示画面を表示装置１１の表示画面２１に表示させる。
【００６４】
本変形例によれば、第２の項目表示画面を表示する際に、ズームスイッチ３２を押下し続ける必要がなく、操作性を向上させることができる。
【００６５】
〔項目表示処理の第６変形例〕
本変形例は、第４変形例と同様に、ズームスイッチ３２の構造が２段スイッチ構造とされている。
【００６６】
図１４は項目表示処理の第６変形例のフローチャートを示す。同図中、図１２と同一ステップには同一符号を付し、その説明は省略する。
【００６７】
本変形例では、処理装置１２は、ステップＳ５−６で２段スイッチの第１のスイッチング操作が行なわれると、ステップＳ７−７で現在、表示されている項目表示画面が第１の項目表示画面か否かを判定する。処理装置１２は、ステップＳ７−７で、現在表示されている項目表示画面が第１の項目表示画面である場合には、ステップＳ７−８で図５又は図６（Ａ）に示すような第２の項目表示画面を表示し、ステップＳ７−７で、現在表示されている項目表示画面が第１の項目表示画面でない、すなわち、第２の項目表示画面である場合には、ステップＳ７−９で図４（Ｂ）に示すような第１の項目表示画面を表示する。
【００６８】
次に処理装置１２は、ステップＳ７−１０で、２段スイッチの第２のスイッチング操作が行なわれたか否かを判定する。処理装置１２は、ステップＳ７−１０で、第２のスイッチング操作が行われると、ステップＳ７−１１で選択されている項目を実行する。また、処理装置１２は、ステップＳ７−１０で第２のスイッチング操作が行なわれない場合には、ステップＳ１−４に戻って処理を継続する。
【００６９】
本変形例によれば、第１のスイッチング操作を行う毎に、第１の項目表示画面と第２の項目表示画面とを交互に表示することができ、ズームスイッチ３２を押下し続ける必要がなく、操作性を向上させることができる。
【００７０】
〔項目表示処理の第７変形例〕
本変形例は、第４変形例と同様に、ズームスイッチ３２の構造が２段スイッチ構造とされている。
【００７１】
図１５は項目表示処理の第７変形例のフローチャートを示す。同図中、図１２と同一ステップには同一符号を付し、その説明は省略する。
【００７２】
本変形例では、処理装置１２は、ステップＳ５−６で２段スイッチの第１のスイッチング操作が行なわれると、ステップＳ５−７で図５又は図６（Ａ）に示す第２の項目表示画面を表示するとともに、ステップＳ８−８で計時時刻Ｔを「０」にリセットする。処理装置１２は、ステップＳ８−９で第２のスイッチング操作が行なわれると、ステップＳ８−１０で選択項目を実行する。
【００７３】
また、処理装置１２は、ステップＳ８−１１、Ｓ８−１２で第１のスイッチング操作が連続する時間を計時しており、ステップＳ８−１２で第１のスイッチング操作が解除されると、次に、ステップＳ８−１３で時間Ｔが所定時間Ｔ１より大きいか否かを判定する。時間Ｔが所定時間Ｔ１より大きければ、ステップＳ１−１に戻って、図４（Ａ）に示す待ち受け画面に戻る。また、時間Ｔが所定時間Ｔ１より小さければ、ステップＳ１−３に戻って、図４（Ｂ）に示す第１の項目表示画面を表示する。
【００７４】
本変形例によれば、第１のスイッチング操作の操作時間に応じて待ち受け画面あるいは第１の項目表示画面を選択的に表示させることができる。
【００７５】
〔項目表示処理の第８変形例〕
本変形例は、第４変形例と同様に、ズームスイッチ３２の構造が２段スイッチ構造とされている。
【００７６】
図１６は項目表示処理の第８変形例のフローチャートを示す。同図中、図１２と同一ステップには同一符号を付し、その説明は省略する。
【００７７】
本変形例では、処理装置１２は、ステップＳ９−６、Ｓ９−７、Ｓ９−８で２段スイッチの第１のスイッチング操作が所定時間Ｔ２、連続してオンされると、ステップＳ１−３に戻って図４（Ｂ）に示す第１の項目表示画面を表示する。また、処理装置１２は、第１のスイッチング操作が所定時間Ｔ２以内であれば、ステップＳ９−９で図５又は図６（Ａ）に示すような第２の項目表示画面を表示するとともに、ステップＳ９−１０で計時時刻Ｔを「０」にリセットする。処理装置１２は、ステップＳ９−１１で第２のスイッチング操作が行なわれると、ステップＳ９−１２で選択項目を実行する。
【００７８】
また、処理装置１２は、ステップＳ９−１１、Ｓ９−１３、Ｓ９−１４で第１のスイッチング操作が連続する時間を計時しており、ステップＳ９−１３で第１のスイッチング操作が解除されると、次に、ステップＳ９−１５で時間Ｔが所定時間Ｔ１より大きいか否かを判定する。時間Ｔが所定時間Ｔ２より大きければ、ステップＳ１−４に戻って、図５、図６（Ａ）に示す第２の項目表示画面を表示する。また、時間Ｔが所定時間Ｔ２より大きければ小さければ、ステップＳ１−３に戻って、図４（Ｂ）に示す第１の項目表示画面を表示する。
【００７９】
本変形例によれば、第１のスイッチング操作の操作時間に応じて第１の項目表示画面又は第２の項目表示画面を選択的に表示させることができる。
【００８０】
〔項目表示処理の第９変形例〕
本変形例は、第４変形例と同様に、ズームスイッチ３２の構造が２段スイッチ構造とされている。
【００８１】
図１７は項目表示処理の第９変形例のフローチャートを示す。同図中、図１２と同一ステップには同一符号を付し、その説明は省略する。
【００８２】
本変形例では、処理装置１２はステップＳ５−７で図５あるいは図６（Ａ）に示すような第２の項目表示画面を表示するとともに、ステップＳ１０−７で、音声出力装置１６より第１の効果音を出力する。また、ステップＳ５−９で選択項目を実行する際に、音声出力装置１６より第２の効果音を出力する。
【００８３】
本実施例によれば、第１の効果音によって、第２の項目表示画面が表示されたことをユーザに認識させることができ、第２の効果音によって、選択項目が実行されたことをユーザに認識させることができる。
【００８４】
〔項目表示処理の第１０変形例〕
本変形例は、ズームスイッチ３２の構造が３段スイッチ構造とされている。
【００８５】
図１８は３段スイッチを説明するための図を示す。図１８（Ａ）は非操作時、図１８（Ｂ）は１段押下時、図１８（Ｃ）は２段押下時の状態、図１８（Ｄ）は３段押下時の状態を示す。同図中、図１１と同一構成部分には同一符号を付し、その説明は省略する。
【００８６】
３段スイッチは、キートップ５１、レバー５２、第１接点５３、第２接点５４、第３接点５５、第４接点６１から構成されている。
【００８７】
キートップ５１を矢印Ｚ２方向に距離ｄ１だけ押下すると、矢印Ｚ２方向に距離ｄだけ移動し、第１接点５３を矢印Ｚ２方向に距離ｄ１だけ押下する。これによって、第１接点５３が第２接点５４に接触する。これによって、第１接点５３と第２接点５４とが短絡され、第１のスイッチング操作が検出される。
【００８８】
さらに、キートップ５１が矢印Ｚ２方向に距離ｄ１だけ押下されると、レバー５２がさらに、矢印Ｚ２方向に距離ｄ１だけ移動し、第２接点５４を矢印Ｚ２方向に距離ｄ１だけ押下させる。これによって、第２接点５４が第４接点６１に接触する。これによって、第２のスイッチング操作が検出される。
【００８９】
さらに、キートップ５１が矢印Ｚ２方向に距離ｄ１だけ押下されると、レバー５２がさらに、矢印Ｚ２方向に距離ｄ１だけ移動し、第４接点６１を矢印Ｚ２方向に距離ｄ１だけ押下させる。これによって、第１接点５３、第２接点５４、第４接点６１が第３接点５４に接触する。これによって、第３のスイッチング操作が検出される。
【００９０】
次に上記３段スイッチを用いた項目表示処理について説明する。
【００９１】
図１９は項目表示処理の第１０変形例のフローチャートを示す。同図中、図３と同一ステップには同一符号を付し、その説明は省略する。
【００９２】
本変形例では、処理装置１２は、ステップＳ１−６でズームスイッチ３２が操作されると、まず、ステップＳ１１−１で３段スイッチの第１のスイッチング操作が行なわれると、ステップＳ１１−２で図５又は図６（Ａ）に示すような第２の項目表示画面を表示させる。
【００９３】
また、処理装置１２は、ステップＳ１１−３で、３段スイッチの第２のスイッチング操作が行なわれると、ステップＳ１１−４で大分類画面表示を行う。
【００９４】
図２０は大分類画面表示を説明するための図を示す。
【００９５】
大分類画面表示は、表示装置１１の表示画面２１上に、項目ｉ11〜ｉ1n、ｉ21〜ｉ2n・・・ｉm1〜ｉmnを大分類した大分類項目Ｉ1〜Ｉkが表示される。大分類項目Ｉ1〜Ｉkとしては例えば、メール、設定、電話帳、電卓などの各項目がある。
【００９６】
さらに、処理装置１２は、ステップＳ１１−５で、３段スイッチの第３のスイッチング操作が行なわれると、ステップＳ１１−６で、そのとき、選択されている項目を実行する。
【００９７】
また、処理装置１２は、ステップＳ１１−７でズームスイッチ３２の操作が解除されると、ステップＳ１−３に戻って図４（Ｂ）に示すような第２の項目表示画面を表示装置１１の表示画面２１に表示させる。
【００９８】
本変形例によれば、３段スイッチの第１のスイッチング操作により第１の項目表示画面を表示し、第２のスイッチング操作により、大分類画面を表示し、第３のスイッチング操作により選択項目の実行することができ、操作性をさらに向上させることができる。
【００９９】
〔その他〕
本実施例では、ズームスイッチ３２として、１段、２段、３段構造のスイッチを用いて、第１の項目表示画面及び第２の項目表示画面の切換を行う処理について説明したが、第１の項目表示画面〜第ｎの項目表示画面の切り換えを行うようにしてもよい。また、ｎ段構造のスイッチを用いて第１の項目表示画面〜第ｎの項目表示画面の切り換えを行うようにしてもよい。このとき、第１の項目表示画面〜第ｎの項目表示画面は、表示する項目の数を異ならせるだけでなく、分類を異ならせるようにしてもよい。
【０１００】
なお、上記各実施例では、携帯電話機を対象として説明を行ったが、本実施例の項目表示方法は、携帯電話機に限定されるものではなく、情報処理装置の項目、或いはメニュー表示、一般に適用可能である。
【０１０１】
〔付記〕
なお、本発明には、下記の付記事項を含むものである。
【０１０２】
１．表示画面に複数の項目を表示可能とされた表示手段と、
前記表示手段の表示画面に表示される前記項目の数を切り換える表示切替スイッチと、
前記表示切替スイッチの操作に応じて画面に表示される項目の数を切り換える項目表示制御手段とを有することを特徴とする情報処理装置。
【０１０３】
２．前記項目表示制御手段は、前記表示切替スイッチが操作されている間、前記項目の表示数を切り換えることを特徴とする付記１記載の情報処理装置。
【０１０４】
３．前記項目表示制御手段は、前記表示切替スイッチの操作毎に前記項目の表示数を切り換えることを特徴とする付記１記載の情報処理装置。
【０１０５】
４．前記項目表示制御手段は、前記表示切替スイッチが操作されてから所定の時間、前記項目の表示数を切り換えることを特徴とする付記１記載の情報処理装置。
【０１０６】
５．前記項目表示制御手段は、前記表示切替スイッチの操作に応じて前記項目の一部を前記表示手段に表示する第１の表示と、前記項目の全てを前記表示手段に表示する第２の表示とを切り換えることを特徴とする付記１乃至４のいずれか一項記載の情報処理装置。
【０１０７】
６．前記項目表示制御手段は、前記表示切替スイッチの操作に応じて前記項目の全てを割り込み画面に表示することを特徴とする付記１乃至４のいずれか一項記載の情報処理装置。
【０１０８】
７．前記項目を選択する選択スイッチを有し、
前記選択スイッチにより選択された項目に応じた処理を実行することを特徴とする付記１乃至６のいずれか一項記載の情報処理装置。
【０１０９】
８．表示画面に選択可能な項目を表示可能とされた表示手段の表示画面に表示される前記項目の数を切り換える表示切替スイッチの操作に応じて画面に表示される項目の数を切り換えることを特徴とする項目表示方法。
【０１１０】
９．前記表示切替スイッチが操作されている間、前記表示手段に表示される前記項目の表示数を切り換えさせることを特徴とする付記８記載の項目表示方法。
【０１１１】
１０．前記表示切替スイッチの操作毎に前記表示手段に表示する前記項目の表示数を切り換えることを特徴とする付記８記載の項目表示方法。
【０１１２】
１１．前記表示切替スイッチが操作されてから所定の時間、前記項目の表示数を切り換えさせることを特徴とする付記８記載の項目表示方法。
【０１１３】
１２．前記表示切替スイッチの操作に応じて前記項目の一部を前記表示手段に表示する第１の表示と、前記項目の全てを前記表示手段に表示する第２の表示とを切り換えることを特徴とする付記８乃至１１のいずれか一項記載の項目表示方法。
【０１１４】
１３．前記表示切替スイッチの操作に応じて前記項目の全てを割り込み画面で表示することを特徴とする付記８乃至１１のいずれか一項記載の項目表示方法。
【０１１５】
１４．前記項目を選択する選択スイッチにより選択された項目に応じた処理を実行させることを特徴とする付記８乃至１３のいずれか一項記載の項目表示方法。
【０１１６】
１５．表示画面に選択可能な項目を表示可能とされた表示手段の表示画面に表示される前記項目の数を切り換える表示切替スイッチの操作に応じて画面に表示される項目の数を切り換える処理を実行させるコンピュータにより読み取り可能なプログラム。
【０１１７】
１６．前記表示切替スイッチが操作されている間、前記表示手段に表示される前記項目の表示数を切り換えさせることを特徴とする付記１５記載のコンピュータにより読み取り可能なプログラム。
【０１１８】
１７．前記表示切替スイッチの操作毎に前記表示手段に表示する前記項目の表示数を切り換えることを特徴とする付記１５記載のコンピュータにより読み取り可能なプログラム。
【０１１９】
１８．前記表示切替スイッチが操作されてから所定の時間、前記項目の表示数を切り換えさせることを特徴とする付記１５記載のコンピュータにより読み取り可能なプログラム。
【０１２０】
１９．前記表示切替スイッチの操作に応じて前記項目の一部を前記表示手段に表示する第１の表示と、前記項目の全てを前記表示手段に表示する第２の表示とを切り換えることを特徴とする付記１５乃至１８のいずれか一項記載のコンピュータにより読み取り可能なプログラム。
【０１２１】
２０．前記表示切替スイッチの操作に応じて前記項目の全てを割り込み画面で表示することを特徴とする付記１５乃至１８のいずれか一項記載のコンピュータにより読み取り可能なプログラム。
【０１２２】
２１．前記項目を選択する選択スイッチにより選択された項目に応じた処理を実行させることを特徴とする付記１５乃至２０のいずれか一項記載のコンピュータにより読み取り可能なプログラム。
【図面の簡単な説明】
【０１２３】
【図１】本発明の一実施例のブロック構成図である。
【図２】本発明の一実施例の斜視図である。
【図３】図３は処理装置１２の項目表示処理のフローチャートである。
【図４】表示画面２１を示す図である。
【図５】表示画面２１を示す図である。
【図６】図６は第２の項目表示画面の変形例の表示画面を示す図である。
【図７】表示画面２１を示す図である。
【図８】項目表示処理の第１変形例のフローチャートである。
【図９】項目表示処理の第２変形例のフローチャートである。
【図１０】項目表示処理の第３変形例のフローチャートである。
【図１１】２段スイッチを説明するための図である。
【図１２】項目表示処理の第４変形例のフローチャートである。
【図１３】項目表示処理の第５変形例のフローチャートである。
【図１４】項目表示処理の第６変形例のフローチャートである。
【図１５】項目表示処理の第７変形例のフローチャートである。
【図１６】項目表示処理の第８変形例のフローチャートである。
【図１７】項目表示処理の第９変形例のフローチャートである。
【図１８】３段スイッチを説明するための図である。
【図１９】項目表示処理の第１０変形例のフローチャートである。
【図２０】大分類画面表示を説明するための図である。
【符号の説明】
【０１２４】
１  小型情報処理装置
１１  表示装置、１２  処理装置、１３  記憶装置、１４  キー入力装置
１５  音声入力装置、１６  音声出力装置、１７  通信装置、１８  アンテナ
２１  表示画面
３１  座標入力キー  ３１ａ  Ｘ１方向座標移動キー、３１ｂ  Ｘ２方向座標移動キー
３１ｃ  Ｙ１方向座標移動キー、３１ｄ  Ｙ２方向座標移動キー
３２  ズームスイッチ、３３  文字入力キー
【図１】
2006155474.tif 000003
【図２】
2006155474.tif 000004
【図３】
2006155474.tif 000005
【図４】
2006155474.tif 000006
【図５】
2006155474.tif 000007
【図６】
2006155474.tif 000008
【図７】
2006155474.tif 000009
【図８】
2006155474.tif 000010
【図９】
2006155474.tif 000011
【図１０】
2006155474.tif 000012
【図１１】
2006155474.tif 000013
【図１２】
2006155474.tif 000014
【図１３】
2006155474.tif 000015
【図１４】
2006155474.tif 000016
【図１５】
2006155474.tif 000017
【図１６】
2006155474.tif 000018
【図１７】
2006155474.tif 000019
【図１８】
2006155474.tif 000020
【図１９】
2006155474.tif 000021
【図２０】
2006155474.tif 000022